(57)【特許請求の範囲】
【請求項１】
ユーザが選択してプログラムに登録した複数個のトラックのみを順次再生するプログラム再生機能を装備するプログラム再生機能付きディスクプレーヤ（１０）において、
ディスク（１９）の全トラックをプログラムへ暫定登録してから、最初のトラック番号のトラックより順番に再生を開始し、ユーザにより、現在再生中のトラックよりトラック番号の大きいトラック番号のトラックへのトラックジャンプ操作が行われた場合には、トラックジャンプ元のトラックのトラック番号から、トラックジャンプ先のトラックより１つ前のトラック番号までの全トラックを、プログラムの登録から削除することを特徴とするプログラム再生機能付きディスクプレーヤ。
【請求項２】
ユーザが選択してプログラムに登録した複数個のトラックのみを順次再生するプログラム再生機能を装備するプログラム再生機能付きディスクプレーヤ（１０）において、
ディスク（１９）の全トラックをプログラムへ暫定登録してから、最初のトラック番号のトラックより順番に再生を開始し、ユーザにより、再生中のディスク（１９）に含まれるトラックの最大トラック番号より大きいトラック番号のトラックへのトラックジャンプ操作が行われた場合には、トラックジャンプ元のトラックのトラック番号から最後のトラック番号までの全トラックを、プログラムの登録から削除することを特徴とするプログラム再生機能付きディスクプレーヤ。
【請求項３】
複数のディスク（１９）が搭載され、プログラム再生では、複数個のディスク（１９）に属するトラックが再生されるようになっていることを特徴とする請求項１又は２に記載のプログラム再生機能付きディスクプレーヤ。
【請求項４】
全ディスク（１９）の全トラックをプログラムへ暫定登録してから、最初のディスク（１９）の最初のトラック番号のトラックより順番に再生開始するようにし、ユーザによりディスククリア操作が行われた場合は、再生中のディスク（１９）の全トラックをプログラムの登録から削除するとともに、次のディスク番号のディスク（１９）の再生を開始することを特徴とする請求項３記載のプログラム再生機能付きディスクプレーヤ。
【請求項５】
ユーザが選択してプログラムに登録した複数個のトラックのみを順次再生するプログラム再生機能を装備するプログラム再生機能付きディスクプレーヤ（１０）において、
複数のディスク（１９）が搭載され、プログラム再生では、複数個のディスク（１９）に属するトラックが再生されるようになっており、
全ディスク（１９）の全トラックをプログラムへ暫定登録してから、最初のディスク（１９）の最初のトラック番号のトラックより順番に再生を開始し、ユーザによりディスクスキップ操作が行われた場合は、現在再生中のディスク（１９）について現在再生中のトラックのトラック番号から最後のトラック番号までの全部のトラックをプログラムの登録から削除するとともに、次のディスク番号のディスク（１９）を再生開始することを特徴とするプログラム再生機能付きディスクプレーヤ。
【請求項６】
ユーザが選択してプログラムに登録した複数個のトラックのみを順次再生するプログラム再生機能を装備するプログラム再生機能付きディスクプレーヤ（１０）において、
複数のディスク（１９）が搭載され、プログラム再生では、複数個のディスク（１９）に属するトラックが再生されるようになっており、
全ディスク（１９）の全トラックをプログラムへ暫定登録してから、最初のディスク（１９）の最初のトラック番号のトラックより順番に再生を開始し、ユーザにより、現在再生中のディスク（１９）のディスク番号より大きいディスク番号のディスク（１９）へのディスクジャンプ操作が行われた場合には、現在再生中のディスク（１９）については現在再生中のトラックのトラック番号から最後のトラック番号までの全部のトラックを、プログラムの登録から削除し、さらに、現在再生中のディスク（１９）のディスク番号からディスクジャンプ先のディスク（１９）のディスク番号より小さいディスク番号までの全ディスク（１９）の全トラックを、プログラムの登録から削除するとともに、ディスクジャンプ先のディスク（１９）の再生を開始することを特徴とするプログラム再生機能付きディスクプレーヤ。
【請求項７】
ディスクスキップ操作が連続して複数のｎ回、行われたときは、現在再生中のディスク（１９）のディスク番号より、ｎだけ大きいディスク番号のディスク（１９）へのディスクジャンプ操作と同一の処理を行うことを特徴とする請求項６記載のプログラム再生機能付きディスクプレーヤ。
【発明の詳細な説明】
【０００１】
【発明の属する技術分野】
この発明は、プログラム再生機能をもつＣＤプレーヤ等のディスクプレーヤに係り、詳しくはプログラム登録操作を簡易化されるプログラム再生機能付きディスクプレーヤに関するものである。
【０００２】
【従来の技術】
プログラム再生機能付きのディスクプレーヤの従来のプログラム登録設定では、ユーザが、登録を希望する曲、すなわちトラック番号を１個ずつテンキー等により入力している。また、複数個のＣＤを装填して、その中から１個のディスクを選択して再生できる連装式ディスクプレーヤの従来のプログラム登録設定では、ユーザは、トラック番号だけでなく、ディスク番号（＝バンク番号。該当のディスクが装填されているバンクの番号。）の入力も必要になっている。
【０００３】
【発明が解決しようとする課題】
従来のプログラム登録設定は、トラック番号及びディスク番号をテンキー等で１個ずつ入力する必要があり、煩雑となっている。
【０００４】
この発明の目的は、プログラム登録設定のユーザ操作を簡易化できるプログラム再生機能付きディスクプレーヤを提供することである。
【０００５】
【課題を解決するための手段】
この発明のプログラム再生機能付きディスクプレーヤ（１０）によれば、ユーザが選択してプログラムに登録した複数個のトラックのみを順次再生するプログラム再生機能を装備する。そして、最初のトラック番号のトラックより順番に再生開始し、ユーザによる所定トラック操作に対して、プログラムへのトラックの登録及び非登録を自動設定するようになっている。
【０００６】
ディスクプレーヤ（１０）は、例えば、ＣＤプレーヤ、ＭＤプレーヤ等である。プログラム再生機能付きディスクプレーヤ（１０）は、複数個のディスク（１９）を装填できる連装式のプログラム再生機能付きディスクプレーヤだけでなく、１個のディスク（１９）しか装填できない単装式のプログラム再生機能付きディスクプレーヤも含む。
【０００７】
ユーザによる所定トラック操作には、プログラムへのトラックの非登録（＝削除）を自動設定する起因となるトラック操作だけでなく、プログラムへのトラックの登録を自動設定する起因となるトラック操作も含まれるものとする。例えば、制御器に登録キーと非登録キーを用意し、最初のトラックの再生開始前に、登録キーか非登録キーのいずれかをユーザに選択させるようにし、登録キーを予め押してからの各トラックスキップ操作では、再生中のトラックが、プログラムに自動登録されるとともに、次のトラックが再生開始されるようにし、また、非登録キーを一度押してからのトラックスキップ操作では、再生中のトラックが、プログラムに自動で非登録されるとともに、次のトラックが再生開始するようにしてもよい。
【０００８】
こうして、ユーザは、プログラムへ登録しようとするトラックのトラック番号をテンキー等で入力する代わりに、ディスク（１９）を再生しつつ、再生中のトラックを登録するか否かを決めて、それに従ってトラックスキップ等のトラック操作を行うことにより、プログラムへのトラックの登録が自動設定されるので、プログラム登録設定を簡易化できる。
【０００９】
この発明のプログラム再生機能付きディスクプレーヤ（１０）によれば、ディスク（１９）の全トラックをプログラムへ暫定登録してから、最初のトラック番号のトラックより順番に再生開始するようにする。そして、所定トラック操作として、（ａ）トラックスキップ操作が行われた場合は、再生途中でトラックスキップ操作が行われたトラックについては、プログラムの登録から削除する。また、（ｂ）再生中のディスク（１９）に含まれるトラックの最大トラック番号より大きいトラック番号のトラックへの５へのトラックジャンプ操作が行われた場合には、トラックジャンプ元のトラックのトラック番号から最後のトラック番号までの全トラックを、プログラムの登録から削除する。（ｃ）再生中のディスク（１９）に含まれるトラックの最大トラック番号より大きいトラック番号のトラックへの５へのトラックジャンプ操作が行われた場合には、トラックジャンプ元のトラックのトラック番号から最後のトラック番号までの全トラックを、プログラムの登録から削除する。
【００１０】
この発明のプログラム再生機能付きディスクプレーヤ（１０）によれば、複数のディスク（１９）が搭載され、プログラム再生では、複数個のディスク（１９）に属するトラックが再生されるようになっている。そして、ユーザが行った所定ディスク）操作に対応して、プログラムへのトラックの登録及び非登録を自動設定するようになっている。
【００１１】
ユーザによる所定ディスク操作には、プログラムへのトラックの非登録を自動設定する起因となるディスク操作だけでなく、プログラムへのトラックの登録を自動設定する起因となるディスク操作も含まれるものとする。例えば、制御器に登録キーと非登録キーを用意し、最初のトラックの再生開始前に、登録キーか非登録キーのいずれかをユーザに選択させるようにし、登録キーを一度押してからの各ディスクスキップ操作では、再生中のディスクの全トラックが、プログラムに自動登録されるとともに、次のディスクが再生開始するようにし、また、非登録キーを一度押してからのディスクスキップ操作では、再生中のディスクの全トラックが、プログラムに自動で非登録されるとともに、次のディスクが再生開始するようにしてももよい。
【００１２】
この発明のプログラム再生機能付きディスクプレーヤ（１０）によれば、全ディスク（１９）の全トラックをプログラムへ暫定登録してから、最初のディスク（１９）の最初のトラック番号のトラックより順番に再生開始するようにする。所定ディスク）操作として、（ａ）ディスククリア操作が行われた場合は、再生中のディスク（１９）の全トラックをプログラムの登録から削除するとともに、次のディスク番号のディスク（１９）の再生を開始する。（ｂ）ディスクスキップ操作が行われた場合は、現在再生中のディスク（１９）について現在再生中のトラックのトラック番号から最後のトラック番号までの全部のトラックをプログラムの登録から削除するとともに、次のディスク番号のディスク（１９）を再生開始する。（ｃ）現在再生中のディスク（１９）のディスク番号の大きいディスク番号のディスク（１９）へのディスクジャンプ操作が行われた場合には、現在再生中のディスク（１９）については現在再生中のトラックのトラック番号から最後のトラック番号までの全部のトラックを、プログラムの登録から削除し、さらに、現在再生中のディスク（１９）のディスク番号からディスクジャンプ先のディスク（１９）のディスク番号より小さいディスク番号までの全ディスク（１９）の全トラックを、プログラムの登録から削除するとともに、ディスクジャンプ先のディスク（１９）の再生を開始する。（ｄ）ディスクスキップ操作が連続して複数のｎ回、行われたときは、現在再生中のディスク（１９）のディスク番号より、ｎだけ大きいディスク番号のディスク（１９）へのディスクジャンプ操作と同一の処理を行う。
【００１３】
こうして、ユーザは、プログラムへ登録しようとするトラックのディスク番号をテンキー等で入力する代わりに、ディスク（１９）を再生しつつ、再生中のトラックを登録するか否かを決めて、それに従ってディスクスキップ等のディスク操作を行うことにより、プログラムへのトラックの登録が自動設定されるので、プログラム登録設定を簡易化できる。
【００１４】
【発明の実施の形態】
以下、発明の実施の形態について図面を参照して説明する。
図１は連装式ＣＤプレーヤ10の主要部の概略図である。連装式ＣＤプレーヤ10は、選択された１個のＣＤ19を装着して音声を記録、再生する記録再生部11と、複数個、この例では６個のバンク18をもち各バンク18へ１個のＣＤ19を装填自在になっているＣＤバンク部17とを有している。なお、本明細書において＃は番号を意味するものとし、図１における＃１〜＃６はそれぞれバンク18番号の１〜６を意味する。記録再生部11は、移動機構12の開脚度の増減によりバンク18の列方向としての上下方向へ移動自在になっており、＃１〜＃６の任意のバンク18に高さを揃えられて、ＣＤ19を受け渡し自在になっている。
【００１５】
図２はＣＤ１９を１個しか装填できない単装式連装式ＣＤプレーヤの場合のプログラム再生処理のフローチャートである。Ｓ３０では、ユーザが、ハンディコードレスリモコン等の制御器において、オートプログラム再生（Ａｕｔｏ  Ｐｒｏｇｒａｍ）モード、すなわちプログラム再生がユーザにより設定されたか否かを判定し、判定がＹｅｓになると、Ｓ３１へ進む。Ｓ３１では、ユーザが制御器において再生キーを押したか否かを判定し、判定がＹｅｓになると、Ｓ３２へ進む。Ｓ３２では、プログラム登録が設定済みとなっているか否かを判定し、判定がＹｅｓであれば、Ｓ３３へ進み、Ｎｏであれば、Ｓ３５へ進む。Ｓ３３では、プログラムに登録された順番でトラック、すなわち曲を再生する。そして、Ｓ３４で、最終登録曲が再生終了したと、判断されると、このプログラム再生処理を終了する。一方、Ｓ３５では、トラック番号の最小の曲より順番に再生する。そして、Ｓ３６において、ＣＤ１９の最大のトラック番号（＝最後のトラック番号）の曲が再生終了すると、このプログラム再生処理を終了する。
【００１６】
図３は複数個のＣＤ１９を装填する連装式ＣＤプレーヤ１０におけるプログラム再生処理のフローチャートである。Ｓ４０，Ｓ４１，Ｓ４３，Ｓ４４は、それぞれ図２のＳ３０，Ｓ３１，Ｓ３３，Ｓ３４と同一である。ただし、Ｓ４２の判定がＮｏである場合は、Ｓ４５へスキップする。Ｓ４５では、プログラムに登録された全ＣＤ１９について再生が終了したか否かを判定し、判定がＹｅｓであれば、このプログラム再生処理を終了し、Ｎｏであれば、Ｓ４６へ進む。Ｓ４６では、記録再生部１１において再生するＣＤ１９を、次のディスク番号のＣＤ１９と交換して、Ｓ４２へ戻る。なお、ディスク番号とは、バンク番号に対応するものとし、所定ディスク番号のＣＤ１９は、そのディスク番号と同一バンク番号のバンク１８に装填されるＣＤ１９を指すものとする。
【００１７】
図４は単装式ＣＤプレーヤの場合又は連装式ＣＤプレーヤ10においてプログラムへの登録曲が所定の１個のＣＤ19にすべて含まれる場合のプログラムへの曲の登録設定処理のフローチャートである。Ｓ５０では、ユーザが制御器においてプログラムモード（Ｐ．ｍｏｄｅ）キーを操作して、自動プログラム（Ａｕｔｏ  ＰＧＭ）モードに設定する。これにより、１個のＣＤ19に含められている全曲がプログラムに暫定登録される。Ｓ５１では、ユーザが再生キーを押したか否か、すなわち再生を要求したか否かを判定し、判定がＹｅｓになると、Ｓ５２においてｎに１を代入する。ｎはこれから記録再生部11において再生しようとする曲のトラック番号となる。Ｓ５３では、トラック番号がｎのトラック、すなわち＃ｎの曲を再生する。そして、その＃ｎの曲の再生中に、ユーザが、トラックスキップ操作により中断すると（Ｓ５５の判定がＹｅｓ）、Ｓ５６へ進み、最後まで聞き終えたときは（Ｓ５４の判定がＹｅｓ）、Ｓ５６をスキップして、Ｓ５７へ進む。Ｓ５６では、＃ｎの曲をプログラムの登録曲から削除する。Ｓ５７では、現在再生しているＣＤ19について、全曲の再生が終了したか否かを判定し、判定がＹｅｓであれば、この登録設定処理を終了し、Ｎｏであれば、Ｓ５８へ進んで、ｎを１だけインクレメントしてから、Ｓ５３へ戻る。
【００１８】
こうして、ユーザが最後まで聞き通した曲は、すなわち、ユーザが再生をトラックスキップ操作により中断しなかった曲は、プログラムから登録を外されることなく、登録のまま、残されるのに対し、ユーザがトラックスキップ操作により最後まで聞かなかった曲は、プログラムから登録を外される。具体的に説明すると、例えば、連装式ＣＤプレーヤ１０において＃１のＣＤ１９の＃２の曲の再生中のトラックスキップ操作が実施されると、＃１のＣＤ１９のの＃２の曲はプログラムの登録から削除されるとともに、＃１のＣＤ１９の＃３の曲が再生開始される。図４のＳ５５では、再生中の曲についてユーザのトラックスキップ操作により再生中断があったか否かを判定しているが、他のトラック操作による再生トラックの変更によっても、プログラムから所定曲を自動的に登録削除することができる。このような他のトラック操作については、後述する。
【００１９】
図５は連装式ＣＤプレーヤ１０においてプログラムへの登録曲が複数個のＣＤ１９にまたがる場合のプログラムへの曲の登録設定処理のフローチャートである。Ｓ６８は、図４のＳ５０とほぼ同一であるが、プログラムに初期的に暫定登録される全曲は、所定の１個のＣＤ１９の全曲ではなく、全ＣＤ１９の全曲である。Ｓ６９〜Ｓ７６は、図４のＳ５１〜Ｓ５８と同一である。ただし、Ｓ７０のｎ＝１の＃１のトララックの属するＣＤ１９は、ディスク番号順に変化する。
【００２０】
Ｓ７３において、判定がＹｅｓである場合は、すなわち、ユーザのトラックスキップ操作により再生中の曲の再生が、曲の最後まで行われず、中断されたときは、Ｓ８２へ進む。また、Ｓ７５において、判定がＹｅｓである場合、すなわち、再生中のＣＤ１９の全曲の再生が終了した場合も、Ｓ８２へ進む。Ｓ８２では、ユーザが制御器のディスククリアキーを操作したか否かを判定し、判定がＹｅｓである場合は、Ｓ８３へ進み、Ｎｏである場合は、Ｓ７２へ戻る。Ｓ８３は、現在再生中のＣＤ１９の全曲をプログラムの登録から削除して、Ｓ８４において該ＣＤ１９の再生を停止する。Ｓ８５では、ＣＤバンク部１７に装填されている全ＣＤ１９について、再生を終了したか否かを判定し、判定がＹｅｓであれば、プログラム登録設定処理を終了し、Ｎｏであれば、Ｓ８６へ進む。Ｓ８６では、記録再生部１１で再生するＣＤ１９を次のディスク番号のＣＤ１９と交換して、Ｓ７０へ戻る。
【００２１】
こうして、図５のプログラム登録処理では、図４のプログラム登録処理におけるトラックスキップ操作に加えて、ディスククリア操作が追加されて、ユーザが再生途中でディスククリア操作したＣＤ１９については、そのＣＤ１９の全曲がプログラムの登録から削除される。具体的に説明すると、例えば、＃４のＣＤ１９について、＃１，＃２の曲は最後まで再生が行われたものの、＃３の曲の再生中の該操作が実施されると、＃４のＣＤ１９の＃１，＃２の曲を含む全曲が、プログラムの登録から削除されるとともに、＃５のＣＤ１９の＃１の曲が再生開始される。
【００２２】
図４のＳ５５又はＳ７３における曲の中断原因になったユーザのトラック操作はトラックスキップ操作であり、トラックスキップ操作により再生途中で中断された曲がＳ５６又はＳ７３においてプログラムの登録から削除されるが、トラックスキップ操作以外の他のトラック操作により所定の曲をプログラム登録から削除するようにしてもよい。このような他のトラック操作及びその対応登録処理について示すと、次の（ａ）及び（ｂ）の通りである。
【００２３】
（ａ）現在再生中のトラックよりトラック番号の大きいトラック番号のトラックへのジャンプ操作：現在再生中の曲のトラック番号からジャンプ先のトラック番号の１個前のトラック番号まで全曲をプログラムの登録から削除するとともに、ジャンプ先のトラック番号の曲を再生開始する。例えば、＃２のＣＤ１９の＃４の曲の再生中に、＃１２へのトラックジャンプ操作を行うと、＃２のＣＤ１９の＃４から＃１１までの曲はプログラムの登録から削除されるとともに、＃２のＣＤ１９の＃１２の曲が再生開始される。
【００２４】
（ｂ）そのＣＤ１９に含まれる最大トラック番号より大きいトラック番号のトラックへのジャンプ操作：現在再生中のＣＤ１９において、現在再生中のトラック番号から最後のトラック番号までの全部の曲をプログラムの登録から削除するとともに、ディスク番号が次のＣＤ１９の＃１の曲を再生開始する。例えば、＃３のＣＤ１９の＃５の曲の再生中に、＃３の最大トラック番号より大きいトラック番号としての＃２０へのトラックジャンプ操作を行うと、＃３のＣＤ１９の＃５の曲から＃３のＣＤ１９の最後のトラック番号の曲の全部がプログラムの登録から削除されるとともに、＃４のＣＤ１９の＃１の曲が再生開始される。
【００２５】
図５のＳ８２及びＳ８３では、ユーザによるディスク）操作及びそれに伴うプログラムからの登録削除としてディスククリア及び再生中のＣＤ１９の全曲の削除か例示されているが、他のディスク）操作及びその対応登録処理を採用することができる。このような他のディスク）操作及びその対応登録処理について示すと、次の（ｃ）〜（ｆ）の通りである。
【００２６】
（ｃ）ディスクスキップ操作：該操作により、現在再生中のＣＤ１９において、現在再生中の曲のトラック番号から最後のトラック番号までの全曲がプログラムの登録から削除され、現在再生中のディスク番号のＣＤ１９の次のディスク番号のＣＤ１９の＃１の曲から再生開始する。例えば、＃１のＣＤ１９の＃５の曲が再生されている時に、ディスクスキップ操作があったときは、＃１のＣＤ１９における＃５から最後のトラック番号までの曲の全部かプログラムの登録から削除されるとともに、＃２のＣＤ１９の＃１の曲が再生開始される。
【００２７】
（ｄ）現在再生中のＣＤ１９のディスク番号より大きいディスク番号のＣＤ１９へのディスクジャンプ操作：該操作により、現在再生中のＣＤ１９において、現在再生中の曲のトラック番号から最後のトラック番号の曲までの全曲がプログラムの登録から削除され、現在再生中のディスク番号のＣＤ１９の次のディスク番号からトラックジャンプ先のＣＤ１９のディスク番号より１個前のディスク番号のＣＤ１９に含まれている全曲がプログラムの登録から削除される。さらに、ディスクジャンプ先のＣＤ１９の＃１の曲が再生開始される。例えば、＃１のＣＤ１９の＃５の曲が再生されている時に、＃５のＣＤ１９へのトラックジャンプ操作があったときは、＃１のＣＤ１９における＃５から最後のトラック番号までの曲の全部かプログラムの登録から削除されるとともに、＃２から＃４までの全ＣＤ１９の全曲がプログラムの登録から削除される。
【００２８】
（ｅ）連続ｎ（ｎは２以上の自然数）回のディスクスキップ操作：現在再生中のＣＤ１９のディスク番号がｍ（ｍは複数）とすると、上記（ｅ）において、ディスク番号がｍ＋ｎのディスク番号のＣＤ１９へのディスクジャンプが操作されたときと同一に処理する。
【図面の簡単な説明】
【図１】連装式ＣＤプレーヤの主要部の概略図である。
【図２】ＣＤを１個しか装填できない単装式連装式ＣＤプレーヤの場合のプログラム再生処理のフローチャートである。
【図３】複数個のＣＤを装填する連装式ＣＤプレーヤにおけるプログラム再生処理のフローチャートである。
【図４】連装式ＣＤプレーヤにおいてプログラムへの登録曲が所定の１個のＣＤにすべて含まれる場合のプログラムへの曲の登録設定処理のフローチャートである。
【図５】連装式ＣＤプレーヤにおいてプログラムへの登録曲が複数個のＣＤにまたがる場合のプログラムへの曲の登録設定処理のフローチャートである。
【符号の説明】
１０    連装式ＣＤプレーヤ（プログラム再生機能付きディスクプレーヤ）
１９    ＣＤ（ディスク）
【図１】
0003559947.tif 000002
【図２】
0003559947.tif 000003
【図３】
0003559947.tif 000004
【図４】
0003559947.tif 000005
【図５】
0003559947.tif 000006